(57)【要約】【課題】  幼児が一人で魚肉ソーセージのフィルムを容易に剥がし食べることが出来、底部開口に専用で設置式のソーセージカッターを設け麺状に細くカットしたり、オプションで抜き型も出来る幼児用魚肉ソーセージフィルムカッターを提供する。【解決手段】  外径が子供の片手で掴める程の両方向に開口する肉厚筒体内部に底部開口縁際１０ｍｍ〜１５ｍｍ上部分にカッティング部を設け、その直ぐ下に弾性素材で放射線状に切り込みを入れたセーフティーカバーを設け、幼児でも安全にフィルムパックに切れ込みが入れられるようにすると共に、着脱式で専用のソーセージカッターを装着しフィルムを剥いた後の裸のソーセージを上部開口から差し入れ通せば、麺状や型状等様々のカット片を得られることを特徴とする魚肉ソーセージフィルムカッター。【選択図】図１
2017196724.tif 000002
【特許請求の範囲】
【請求項１】
両方向に開口する肉厚筒体において、外径が子供の片手で掴める程であり、内径即ち内空部の径は棒状魚肉ソーセージの太さ相当に形成されるのであるが、この肉厚筒体を平面上に立て置いた場合に於いて、一番低くても高さは５５ｍｍ以上にすることが望ましく、内空部底部開口縁から５ｍｍ〜１０ｍｍ程上がった位置に、上下の仕切の様にセーフティーカバーを有し、セーフティーカバーは柔軟で弾力性ある樹脂等素材が用いられ、中心から内空壁の少し手前まで放射状に切り込みが設けられているのであって、このセーフティーカバーから数ｍｍ上がった地点の内空壁面に、約２ｍｍ長さで内側へ突き出るカッティング部を有し、セーフティーカバーより下・内空部底部開口縁際面に、別に用意される専用付属のソーセージカッターと簡単に嵌合し合う螺旋状溝や噛ませ合い型ツメ等のソーセージカッター装着部を有する事を特徴とする魚肉ソーセージフィルムカッター。
【請求項２】
肉厚筒体において、内空部底部開口縁から高さ４５ｍｍ以上上がった地点にカッティング部を設けた全長１０ｃｍ程の長い棒状筒体にする場合は、ソーセージを押し出すために、上部開口からカッティング部迄の長さより若干短い押し出し棒もしくはカッティング部に触れない形状の押し出し棒を付属品として用意することを特徴とする請求項１における魚肉ソーセージフィルムカッター。
【発明の詳細な説明】
【技術分野】
【０００１】  本発明は、未就園児のような小さな子供でも魚肉ソーセージのフィルムを自分一人で剥がして食べる事が出来る事を補佐する道具に関するものである。
【背景技術】
【０００２】  従来から、魚肉ソーセージやフィッシュソーセージと言われているフィルムに包装されているほとんどのソーセージには、フィルムに切れ目が入っていて剥きやすいように工夫がされていた。
又、吸盤の中央部にカッターを取り付けてある器具でフィルム部分に裂け目を入れて剥がすもの（特許文献１参照）や、三角形状平板の板面に摩擦面を設けたり、かぎ爪状のひっかかり部分を設けたり、角を薄くしてへら状にし、切断開封しづらい様々な包装に対応した器具（特許文献２参照）等が存在する。
【先行技術文献】
【特許文献】
【０００３】
【特許文献１】  特開平９−２４８３８７号公報
【特許文献２】  実用新案登録第３０９５４８９号公報
【発明の概要】
【発明が解決しようとする課題】
【０００４】  魚肉ソーセージ自体には通常フィルムに切れ込みが入っていてそこから開封するようになっているのではあるが、切れ込みが小さかったり、大き目の切れ込みが入っていても空気が入らない様に上から小さなシールで密閉されている。指でつまむ部分の面積がとても小さいことから、大人でも、特に小さな子供は非常に剥がしづらく、ハサミや包丁を持ち出して子供の代わりに大人が対応する事が多い。
では、ハサミや包丁ではなく、特許文献１や特許文献２（以下、文献１、文献２と略称する）に示される「カッター」ならば、小児に使わせることができるだろうか？文献１に示される「パックカッター」は、吸盤外側中心部の盛り上がった部位に刃先が外へ向かって一体化された切断刃であり、それが食器棚のガラス戸や冷蔵庫の外壁面に固定し置かれる事になっている。大人ですら、無造作に行き来していると肌や服を傷つけかねないであろう。まして小さな子供がそれを使用することなど論外であろう。文献２に示される「包装体シールフィルム切断カッター」は、三角形状平板の縁沿いに刃体を設けたものであり、小児にとっては握り部と刃部との区別すらつきにくいものになっており、ハサミや包丁よりも「安全」とはとても言いきれない。そもそもこれらの出願人において、「小さな子供」による使用を想定している痕跡がないというのが適当であろう。
本発明が扱っている課題は、単にフィルム包装された食品の剥がしにくいフィルムを剥がしやすくする方法手段なのではなく、何よりも「小さな子供でも安全に使用することのできる」フィルムカッターなのである。
本発明は、以上の様な問題を解決するためになされたものである。
【課題を解決するための手段】
【０００５】  肉厚筒体において、外径が子供の片手で掴める程であり、内径即ち内空部の径は棒状魚肉ソーセージの太さ相当であるが、この肉厚筒体を平面上に立て置いた場合、一番低くても高さは５５ｍｍ以上にすることが望ましく、内空部底部開口縁から５ｍｍ〜１０ｍｍ程上がった位置に、上下の仕切の様にセーフティーカバーを設けてある。セーフティーカバーは柔軟で弾力性ある樹脂等素材が用いられ、中心から内空壁の少し手前まで放射状に切り込みが設けられ、このセーフティーカバーから数ｍｍ上がった地点の内空壁面に、約２ｍｍ長さで内側へ突き出るカッティング部を設けてある。セーフティーカバーより下・内空部底部開口縁際面に、別に用意される専用付属のソーセージカッターと簡単に嵌合し合う螺旋状溝や噛ませ合い型ツメ等のソーセージカッター装着部を形設することが出来る。
尚、両方向に開口する筒体の内側にフィルムをカットする為のカッティング部を設ける基本構造において変わりはないが、内空部底部開口縁から高さ４５ｍｍ以上昇った地点にカッティング部を設けた全長１０ｃｍ程の長い棒状筒体にする場合は、ソーセージを押し出すために、上部開口からカッティング部迄の長さより若干短い押し出し棒又はカッティングに触れない形状の押し出し棒を付属品として用意する。
全体として欺様に形成された筒体型の構成体を用い、その上部開口から、フィルムパックされた魚肉ソーセージを挿入し、軽く押し下げながら底部開口から引き出せば、カッティング部によって縦直線状の切れ目が付けられて、フィルムは簡単に一気に剥き取る事ができ、更にその際必要とあらば、ソーセージカッター装着部に付属のソーセージカッターを装着し、既にフィルムを剥き取られた裸の魚肉ソーセージを改めて上部開口から底部開口へ挿通させれば、麺状のカット片等を得ることができる。
以上を特徴とする魚肉ソーセージフィルムカッターである。
【発明の効果】
【０００６】  本発明の基本構成により、筒体上部開口から魚肉ソーセージを挿入し押しこみ、底部開口から出てきた部分を引っ張り出すという動作により孔内壁面に設けられているカッティング部に魚肉ソーセージの側面が当たり、フィルムが縦一文字に切れる為、未就園児の様な小さな子供でも容易に一人でフィルムを剥がすことが出来る。【０００７】  ソーセージカッター装着部に螺旋状溝や噛ませ合い型ツメ等の専用付属のソーセージカッターを設置し、フィルムを剥がしたソーセージを上部開口から差し入れ押しこみ底部開口から引き出すと、カッターの形状により麺状にカットしたり、型を抜くことも出来る。【０００８】  内空壁面に設けられているカッティング部は上部開口から５ｃｍ程下に設置してあるので、小さな子が間違って指を入れてもカッティング部が指に極力届きづらい。又、底部開口側から指を入れるかもしれない場合にも、弾性の素材で放射状に切れ込みを入れたセーフティーカバーが設けてあり、カッティング部の手前に放射状の切れ込みがあるので、指先がカッティング部に行き着く手前で予防されて安全な構造になっている。【０００９】  より安全性を確保する為、又デザインの観点から筒体、本体の長さを１０ｃｍ程にし、カット部を上部開口と底部開口から同様の距離の内空壁面に設置することにより、底部開口から誤って小さな子どもが指を差し入れる事があっても、短い指がカッティング部に届かないように配慮してある。
【図面の簡単な説明】
【００１０】
【図１】  本発明の正面図
【図２】  本発明における頭部部分の特徴を分かり易く示した斜視図
【図３】  本発明における底部の特徴を分かり易く見せた斜視図
【図４】  本発明の平面図
【図５】  本発明の断面図
【図６】  本発明の一部であるカッティング部のイメージ斜視図
【図７】  本発明の分解斜視図
【図８】  本発明の一部であるソーセージカッターの諸形態を示すイメージ図
【図９】  本発明の実施例における付属品を伴う外観斜視図
【図１０】  図９に示される本発明の実施例における断面図
【発明を実施するための形態】
【００１１】  両方向に開口する肉厚筒体（１）において、外径（２）が子供の片手で掴める程であり、内径（３）即ち内空部（４）の径は市販の棒状魚肉ソーセージの太さ相当に形成される。この肉厚筒体（１）を平面上に立て置いた場合において、幼児が上部開口（１１）から指を入れてしまってもカッティング部に触れない様、高さは５５ｍｍ以上にすることが望ましい。内空部底部開口（５）縁から１０ｍｍ〜１５ｍｍ程度上がった位置に、上下の仕切り様にセーフティーカバー（６）を設けるがセーフティーカバー（６）は柔軟性ある樹脂等素材を用い、中心から内空壁の少し手前まで放射状に切れ込み（７）が設けられる。このセーフティーカバー（６）から数ｍｍ上がった地点の内空壁面に、約２ｍｍ長さで内側へ突き出るカッティング部（８）を設ける。セーフティーカバーにより、下からソーセージを逆に入れる事を防止すると共に、幼児がカッティング部に触れる事を防ぐ。柔軟性のある素材を使う事により、上部開口（１１）からソーセージを挿通することを可能にしている。セーフティーカバー（６）より内空部底部開口（５）縁際面に、別に用意される専用付属のソーセージカッター（９）と嵌合し会う螺旋状溝や噛ませ合い型ツメ等のソーセージカッター装着部（１０）を形設する。
全体として欺様に形成された肉厚筒体型（１）の構成体を用い、その上部開口（１１）から、フィルムパックされた魚肉ソーセージを挿入し、軽く押し下げながら底部開口（１２）から引き出せば、カッティング部（８）によって縦直線状の切れ目が付けられており、フィルムは簡単に一気に剥き取る事ができ、更にその際必要とあらば、ソーセージカッター装着部（１０）に付属のソーセージカッター（９）を装着し、既にフィルムを剥き取られた裸の魚肉ソーセージを改めて上部開口（１１）から底部開口（１２）を挿通させれば、麺状のカット片等を得ることができる。
尚全体の高さは５５ｍｍ以上にすることが望ましいが、５５ｍｍ以下でも機能に支障をきたすものではない。又、カッティングの形状は２ｍｍ長さの突起以外にも、刃型やフック型等の形状でフィルムカットの用途を果たす場合もある。
筒全体の高さを長くし、１０ｃｍ程度にする場合は、押し出し棒（１３）を設け、魚肉ソーセージを押し出せるようにする。押し出し棒（１３）は上部開口（１１）からカッティング部（８）迄の長さより短くすることで、カッティング部（８）に押し出し棒（１３）あたることをさけている。又、押し出し棒頭（１４）は握りやすさを考え、又穴に埋没しないためのストッパーの機能として内径より大きく作られている。反対に押し出し棒端（１５）は内径より小さい円板状にし、内径に入りソーセージを押し出しやすく形設する。
以上を特徴とする魚肉ソーセージフィルムカッターである。
【符号の説明】
【００１２】１  肉厚筒体
２  外径
３  内径
４  内空部
５  内空部底部開口
６  セーフティーカバー
７  切れ込み
８  カッティング部
９  ソーセージカッター
１０  ソーセージカッター装着部
１１  上部開口
１２  底部開口
１３  押し出し棒
１４  押し出し棒頭
１５  押し出し棒端
【図１】
2017196724.tif 000003
【図２】
2017196724.tif 000004
【図３】
2017196724.tif 000005
【図４】
2017196724.tif 000006
【図５】
2017196724.tif 000007
【図６】
2017196724.tif 000008
【図７】
2017196724.tif 000009
【図８】
2017196724.tif 000010
【図９】
2017196724.tif 000011
【図１０】
2017196724.tif 000012